(57)【要約】【課題】豊かな色彩効果を有すると共に、取り付け環境が揺れ動く場合でも、装飾用オブジェクトの動きを目視に適した動き程度に抑えて、物語性の有る独自の装飾的雰囲気を発揮するペンダント等の装飾品を提供する。【解決手段】第二液層１２の比重は第一液層１１の比重よりも大きい。装飾用オブジェクトＡの比重は、第一液層１１の比重よりも大きく、第二液層１２の比重よりも小さい。装飾用オブジェクトＡ（金魚）は、第二液層１２の表面上に浮上する。第一液層１１と第二液層１２とは互いに異なる着色がなされているので、その境界が目視可能であり、色彩効果が豊かになる。密閉空間１０内には、第一液層１１を構成する液体と、第二液層１２を構成する液体とでもって、ほぼ満たされているので、密閉空間１０が激しく揺れ動いた時、装飾用オブジェクトＡは、目視可能な動き程度に維持される。【選択図】図１
0003120924.tif 000002
【実用新案登録請求の範囲】
【請求項１】
内部に密閉空間を有する額体と、
前記密閉空間内に封入された１つ以上の装飾用オブジェクトと、
前記密閉空間内に封入され、比重が相違し且つ互いに混じり合わない複数種類の液体と、
から構成されたことを特徴とする装飾品。
【請求項２】
前記複数種類の液体の各々は、無色透明であることを特徴とする請求項１記載の装飾品。
【請求項３】
前記複数種類の液体の各々は、任意の色に着色されていることを特徴とする請求項２記載の装飾品。
【請求項４】
前記装飾用オブジェクトの比重は、前記複数種類の液体の少なくとも１つの比重と同じであることを特徴とする請求項１乃至３の何れかの項に記載の装飾品。
【請求項５】
前記装飾用オブジェクトの比重は、前記複数種類の液体の少なくとも１つの比重よりも大きく、他の液体の中の少なくとも１つの比重よりも小さいことを特徴とする請求項１乃至３の何れかの項に記載の装飾品。
【請求項６】
前記複数種類の液体を構成する素材は、水、植物油、鉱物油、シリコン油、液状樹脂、モノ・エチルエーテル、ポリ・エチルエーテル、トリ・エチルエーテル、オキセタン、及び水銀の何れかであることを特徴とする請求項１乃至５の何れかの項に記載の装飾品。
【請求項７】
前記装飾用オブジェクトは、金魚、熱帯魚、亀、ダイバー、船、イルカ、龍の落し子、サーファー、ヨットサーファー、ヨット、人魚、気球の何れかであることを特徴とする請求項１乃至６の何れかの項に記載の装飾品。
【請求項８】
前記密閉空間の正面から見た形状は、任意の形状であることを特徴とする請求項１乃至７の何れかの項に記載の装飾品。
【請求項９】
前記密閉空間の前記密閉空間の正面から見た形状は、正方形、長方形、四隅の丸まった正方形、四隅の丸まった長方形、正三角形、二等辺三角形、台形、正六角形、正八角形、円、楕円、または星型、の何れかであることを特徴とする請求項８に記載の装飾品。
【請求項１０】
前記密閉空間には、紐、ベルト、または鎖が付けられており、前記紐、ベルト、または鎖を介して、全体を他所に係留することが可能であることを特徴とする請求項１乃至９の何れかの項に記載の装飾品。
【考案の詳細な説明】
【技術分野】
【０００１】
本考案は、装飾品に関し、特に、透明の密閉空間内に液体と装飾用のオブジェクトとを閉じ込めて成るペンダント等の装飾品に関する。
【背景技術】
【０００２】
従来、透明の密閉空間内に液体と装飾用のオブジェクトとを閉じ込めた構成の装飾品には、この液体として水または油を使用し、密閉空間内に、この液体が一杯となるまで満たすか、若しくは半分程度を封入したものが知られている。
【考案の開示】
【考案が解決しようとする課題】
【０００３】
しかしながら、上記背景技術で述べた従来の装飾品にあっては、前述のように、水または油を密閉空間内に一杯になるまで満たしたものについては、封入された液体の着色が単色に限定されているために、装飾品としての豊かな色彩効果が得られないという問題点があった。
【０００４】
また、水または油を密閉空間内に半分程度を封入したものについては、設置環境が激しく揺れ動く場合には、封入した液体や装飾用オブジェクトが激しく揺さぶられるので、液体や装飾用オブジェクトにより構築されていた物語性の有る独自の装飾ワールドを維持することができないという問題点があった。また、封入された装飾用オブジェクトの損耗が激しいという問題点があった。
【０００５】
本考案は、上記従来の問題点に鑑みてなされたものであって、装飾品としての豊かな色彩効果が得られると共に、設置環境が激しく揺れ動く場合でも、装飾用オブジェクトの動きを目視に適した動きにすることが可能として、物語性の有る独自の装飾ワールドを維持することができる装飾品を提供することを目的としている。
【０００６】
本考案の他の目的は、設置環境が激しく揺れ動く場合でも、装飾用オブジェクトの動きを目視に適した動き程度に抑止することが可能として、封入された装飾用オブジェクトの損耗を防ぐことができる装飾品を提供することにある。
【課題を解決するための手段】
【０００７】
上記課題を解決するために、本考案に係る装飾品は、内部に密閉空間を有する額体と、前記密閉空間内に封入された１つ以上の装飾用オブジェクトと、前記密閉空間内に封入され、比重が相違し且つ互いに混じり合わない複数種類の液体と、から構成されたことを特徴とする装飾品を提供するものである。
【０００８】
ここで、前記装飾品において、前記複数種類の液体の各々は、無色透明であるか、または任意の色に着色されていることを特徴とする。また、前記装飾品において、前記装飾用オブジェクトの比重は、前記複数種類の液体の少なくとも１つの種類の液体の比重と同じであることを特徴とする。そして、前記装飾品において、前記装飾用オブジェクトの比重は、前記複数種類の液体の少なくとも１つの種類の液体の比重よりも大きく、他の種類の液体のうち、少なくとも１つの種類の液体の比重よりも小さいことを特徴とする。
【０００９】
また、前記装飾品において、前記複数種類の液体を構成する素材は、水、植物油、鉱物油、シリコン油、液状樹脂、モノ・エチルエーテル、ポリ・エチルエーテル、トリ・エチルエーテル、オキセタン、及び水銀の何れかであることを特徴とする。そして、前記装飾品において、前記装飾用オブジェクトは、金魚、熱帯魚、亀、ダイバー、船、イルカ、龍の落し子、サーファー、ヨットサーファー、ヨット、人魚、気球の何れかであることを特徴とする。
【００１０】
また、前記装飾品において、前記密閉空間の前記密閉空間の正面から見た形状は、正方形、長方形、四隅の丸まった正方形、四隅の丸まった長方形、正三角形、二等辺三角形、台形、正六角形、正八角形、円、楕円、または星型、の何れかであることを特徴とする。そして、前記装飾品において、前記密閉空間には、紐、ベルト、または鎖が付けられており、前記紐、ベルト、または鎖を介して、全体を他所に係留することが可能であることを特徴とする。
【考案の効果】
【００１１】
以上説明したように、本考案の装飾品によれば、装飾品としての豊かな色彩効果が得られると共に、設置環境が激しく揺れ動く場合でも、装飾用オブジェクトの動きを目視に適した動きにすることができるので、物語性の有る独自の装飾的雰囲気を維持することができる装飾品を提供することが可能となる。
【００１２】
また、設置環境が激しく揺れ動く場合でも、装飾用オブジェクトの動きが目視に適した動き程度に抑止されることにより、封入された装飾用オブジェクトの損耗を防ぐことができる装飾品を提供することができる効果がある。このため、本考案の装飾品は、揺れ動く環境に設置されるアクセサリーに適用することが好適であり、特に、自動車用のアクセサリーや、携帯電話用のアクセサリーとして最適である。
【考案を実施するための最良の形態】
【００１３】
以下、本考案の装飾品（ペンダントを含む）の最良の実施形態について、図面を参照して詳細に説明する。図１は、本考案の実施形態に係る装飾品の正面から見た外観構成を示す正面図である。
【００１４】
図１において、本実施形態の装飾品は、密閉空間１０と、密閉空間１０内に封入された第１の液体から成る第一液層１１と、密閉空間１０内に封入された第２の液体から成る第二液層１２と、装飾用オブシェクトＡと、を備える。
【００１５】
密閉空間１０は、少なくとも正面壁が透明であるものとする。密閉空間１０の後部内壁は無色または任意の着色を施すことが可能であり、さらに、任意の装飾（例えば、絵画やイラスト）をプリントしておくことが可能である。
【００１６】
第一液層１１の色は、本実施形態では透明または薄い青としているが、本考案では、一般に、第一液層１１の色を、透明または任意の色に設定することが可能である。
【００１７】
また、第二液層１２の色は、本実施形態では青または紺色としているが、本考案では、一般に、第二液層１２の色を、透明または任意の色に設定することが可能である。そして、第一液層１１と第二液層１２とを、どちらも無色透明に構成すること、若しくは同じ色に着色することが可能であり、この場合は、装飾用オブシェクトＡを両液の境界で安定的に維持させる効果がある。ここで、第一液層１１と第二液層１２との関係は、第二液層１２の比重が第一液層１１の比重よりも大きいものとする。
【００１８】
装飾用オブジェクトＡの比重は、本実施形態では第一液層１１の比重よりも大きく、第二液層１２の比重よりも小さいものとしているが、本考案では、一般に、装飾用オブジェクトＡの比重を任意に設定することが可能である。
【００１９】
第一液層１１及び第二液層１２を構成する素材は、第一液層１１と第二液層１２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００２０】
装飾用オブジェクトＡのデザインは、本実施形態では金魚としているが、本考案では、一般に、装飾用オブジェクトＡのデザインは任意である。
【００２１】
この実施形態によれば、装飾用オブジェクトＡ（金魚）は、第二液層１２の表面上に浮上する。第一液層１１と第二液層１２とは互いに異なる着色がなされているので、その境界が目視可能であり、色彩効果が豊かになると共に、装飾用オブジェクトＡ（金魚）に安定感を与える。
【００２２】
また、密閉空間１０内には、第一液層１１を構成する第１の液体と、第二液層１２を構成する第２の液体とでもって、ほぼ満たされているので、密閉空間１０が激しく揺れ動いても、それに連れて装飾用オブジェクトＡが大きく動揺することはなく、ほぼ安定的に維持される。よって、本考案の装飾品は、例えば、自動車用のアクセサリーや、携帯電話用のアクセサリーとして最適である。
【００２３】
図２は、本考案の実施形態に係る装飾品の正面から見た他の外観構成を示す正面図である。図２に示す装飾品は、図１に示す装飾品に、装飾用オブジェクトＢが追加的に封入されたものである。
【００２４】
追加された装飾用オブジェクトＢの比重は、本実施形態では第二液層１２の比重と同じとしているが、本考案では、一般に、装飾用オブジェクトＢの比重を任意に設定することが可能である。装飾用オブジェクトＢのデザインは、本実施形態では亀としているが、本考案では、一般に、装飾用オブジェクトＢのデザインは任意である。
【００２５】
図３は、本考案の実施形態に係る装飾品の正面から見た他の外観構成を示す正面図である。図３において、本実施形態の装飾品は、密閉空間２０と、密閉空間２０内に封入された第１の液体から成る第一液層２１と、密閉空間２０内に封入された第２の液体から成る第二液層２２と、密閉空間２０内に封入された第３の液体から成る第三液層２３と、装飾用オブシェクトＣと、を備える。
【００２６】
密閉空間２０は、少なくとも正面壁が透明であるものとする。この密閉空間２０の後部内壁は無色または任意の着色を施すことが可能であり、さらに、任意の装飾（例えば、絵画やイラスト）をプリントしておくことが可能である。
【００２７】
第一液層２１の色は、本実施形態では薄い青としているが、本考案では、一般に、第一液層２１の色を、透明または任意の色に設定することが可能である。
【００２８】
第二液層２２の色は、本実施形態では青または濃い青としているが、本考案では、一般に、第二液層２２の色を、透明または任意の色に設定することが可能である。
【００２９】
第三液層２３の色は、本実施形態では紺色としているが、本考案では、一般に、第三液層２３の色を、透明または任意の色に設定することが可能である。
【００３０】
第一液層２１、第二液層２２、及び第三液層２３間の関係は、第二液層２２の比重が第一液層２１の比重よりも大きく、かつ第三液層２３の比重よりも小さいものとする。
【００３１】
第一液層２１、第二液層２２、及び第三液層２３を構成する素材は、第一液層２１、第二液層２２、及び第三液層２３が互いに混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００３２】
装飾用オブジェクトＣの比重は、本実施形態では第二液層２２の比重と同じとしているが、本考案では、一般に、装飾用オブジェクトＡの比重を任意に設定することが可能である。この装飾用オブジェクトＣのデザインは、本実施形態ではダイバーとしているが、本考案では、一般に、装飾用オブジェクトＣのデザインは任意である。
【００３３】
図４は、本考案の実施形態に係る装飾品の正面から見た他の外観構成を示す正面図である。図４において、本実施形態の装飾品は、密閉空間３０と、密閉空間３０内に封入された第１の液体から成る第一液層３１と、密閉空間３０内に封入された第２の液体から成る第二液層３２と、装飾用オブシェクトＤ及びＥと、を備える。
【００３４】
密閉空間３０は、少なくとも正面壁が透明であるものとする。密閉空間３０の後部内壁は無色または任意の着色を施すことが可能であり、さらに、任意の装飾（例えば、絵画やイラスト）をプリントしておくことが可能である。
【００３５】
第一液層３１の色は、本実施形態では透明または白としているが、本考案では、一般に、第一液層３１の色を、透明または任意の色に設定することが可能である。
【００３６】
第二液層３２の色は、本実施形態では薄い青としているが、本考案では、一般に、第二液層３２の色を、透明または任意の色に設定することが可能である。
【００３７】
第一液層３１と第二液層３２との関係は、第二液層３２の比重が第一液層３１の比重よりも大きいものとする。
【００３８】
第一液層３１、及び第二液層３２を構成する素材は、第一液層３１及び第二液層３２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００３９】
装飾用オブジェクトＤの比重は、本実施形態では第一液層３１の比重よりも大きく、第二液層３２の比重よりも小さいものとしているが、本考案では、一般に、装飾用オブジェクトＤの比重を任意に設定することが可能である。
【００４０】
装飾用オブジェクトＥの比重は、本実施形態では第二液層３２の比重と同じとしているが、本考案では、一般に、装飾用オブジェクトＥの比重を任意に設定することが可能である。
【００４１】
装飾用オブジェクトＤのデザインは、本実施形態では船としているが、本考案では、一般に、装飾用オブジェクトＤのデザインは任意である。
【００４２】
装飾用オブジェクトＥのデザインは、本実施形態ではイルカの群れとしているが、本考案では、一般に、装飾用オブジェクトＣのデザインは任意である。
【００４３】
図５は、本考案の実施形態に係る装飾品の正面から見た他の外観構成を示す正面図である。図５において、本実施形態の装飾品は、密閉空間４０と、密閉空間４０内に封入された第１の液体から成る第一液層４１と、密閉空間４０内に封入された第２の液体から成る第二液層４２と、装飾用オブシェクトＦ及びＧと、を備える。
【００４４】
密閉空間４０は、少なくとも正面壁が透明であるものとする。密閉空間４０の後部内壁は無色または任意の着色を施すことが可能であり、さらに、任意の装飾（例えば、絵画やイラスト）をプリントしておくことが可能である。
【００４５】
第一液層４１の色は、本実施形態では薄い青としているが、本考案では、一般に、第一液層４１の色を、透明または任意の色に設定することが可能である。
【００４６】
第二液層４２の色は、本実施形態では藍色としているが、本考案では、一般に、第二液層４２の色を、透明または任意の色に設定することが可能である。
【００４７】
第一液層４１と第二液層４２との関係は、第二液層４２の比重が第一液層４１の比重よりも大きいものとする。
【００４８】
第一液層４１、及び第二液層４２を構成する素材は、第一液層４１及び第二液層４２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００４９】
装飾用オブジェクトＦの比重は、本実施形態では第一液層３１の比重と同じとしているが、本考案では、一般に、装飾用オブジェクトＦの比重を任意に設定することが可能である。また、装飾用オブジェクトＧの比重は、本実施形態では第二液層４２の比重と同じとしているが、本考案では、一般に、装飾用オブジェクトＧの比重を任意に設定することが可能である。
【００５０】
装飾用オブジェクトＦのデザインは、本実施形態では熱帯魚のエンゼルフィッシュとしているが、本考案では、一般に、装飾用オブジェクトＦのデザインは任意である。さらに、装飾用オブジェクトＧのデザインは、本実施形態では龍の落し子としているが、本考案では、一般に、装飾用オブジェクトＧのデザインは任意である。
【００５１】
図６は、本考案の実施形態に係る装飾品の正面から見た他の外観構成を示す正面図である。図６において、本実施形態の装飾品は、密閉空間５０と、密閉空間５０内に封入された第１の液体から成る第一液層５１と、密閉空間５０内に封入された第２の液体から成る第二液層５２と、装飾用オブシェクトＨと、を備える。
【００５２】
密閉空間５０は、少なくとも正面壁が透明であるものとする。密閉空間５０の後部内壁は無色または任意の着色を施すことが可能であり、さらに、任意の装飾（例えば、絵画やイラスト）をプリントしておくことが可能である。
【００５３】
第一液層５１の色は、本実施形態では透明または白としているが、本考案では、一般に、第一液層５１の色を、透明または任意の色に設定することが可能である。
【００５４】
第二液層５２の色は、本実施形態では薄い青としているが、本考案では、一般に、第二液層５２の色を透明または任意の色に設定することが可能である。第一液層５１と第二液層５２との関係は、第二液層５２の比重が第一液層５１の比重よりも大きいものとする。
【００５５】
第一液層５１、及び第二液層５２を構成する素材は、第一液層５１及び第二液層５２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００５６】
装飾用オブジェクトＨの比重は、本実施形態では第一液層５１の比重よりも大きく、第二液層５２の比重よりも小さいものとしているが、本考案では、一般に、装飾用オブジェクトＨの比重を任意に設定することが可能である。
【００５７】
装飾用オブジェクトＨのデザインは、本実施形態ではサーファーとしているが、本考案では、一般に、装飾用オブジェクトＨのデザインは任意である。
【００５８】
図７は、本考案の実施形態に係る装飾品の正面から見た他の外観構成を示す正面図である。図７に示す装飾品は、装飾用オブジェクトを、図１に示す装飾用オブジェクトＨ（サーファー）に代えて、装飾用オブジェクトＩ（ヨットサーファー）としたものである。
【００５９】
密閉空間６０は、少なくとも正面壁が透明であるものとする。密閉空間６０の後部内壁は無色または任意の着色を施すことが可能であり、さらに、任意の装飾（例えば、絵画やイラスト）をプリントしておくことが可能である。
【００６０】
第一液層６１の色は、本実施形態では透明または白としているが、本考案では、一般に、第一液層５１の色を、透明または任意の色に設定することが可能である。
【００６１】
第二液層６２の色は、本実施形態では薄い青としているが、本考案では、一般に、第二液層６２の色を透明または任意の色に設定することが可能である。第一液層６１と第二液層６２との関係は、第二液層５２の比重が第一液層５１の比重よりも大きいものとする。
【００６２】
第一液層６１、及び第二液層６２を構成する素材は、第一液層６１及び第二液層６２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００６３】
装飾用オブジェクトＩの比重は、本実施形態では第一液層６１の比重よりも大きく、第二液層６２の比重よりも小さいものとしているが、本考案では、一般に、装飾用オブジェクトＩの比重を任意に設定することが可能である。
【００６４】
装飾用オブジェクトＩのデザインは、本実施形態ではネット式サーファー（図６に示すサーファーとは一般に比重が異なる）としているが、本考案では、一般に、装飾用オブジェクトＩのデザインは任意である。
【００６５】
図８は、本考案の実施形態に係る装飾品の正面から見た他の外観構成を示す正面図である。図８において、本実施形態の装飾品は、密閉空間７０と、密閉空間７０内に封入された第１の液体から成る第一液層７１と、密閉空間７０内に封入された第２の液体から成る第二液層７２と、装飾用オブシェクトＪ及びＫと、を備える。
【００６６】
密閉空間７０は、少なくとも正面壁が透明であるものとする。密閉空間７０の後部内壁は無色または任意の着色を施すことが可能であり、さらに、任意の装飾（例えば、絵画やイラスト）をプリントしておくことが可能である。
【００６７】
第一液層７１の色は、本実施形態では透明または白としているが、本考案では、一般に、第一液層７１の色を、透明または任意の色に設定することが可能である。
【００６８】
第二液層７２の色は、本実施形態では薄い青または青としているが、本考案では、一般に、第二液層７２の色を、透明または任意の色に設定することが可能である。ここで、第一液層７１と第二液層７２との関係は、第二液層７２の比重が第一液層７１の比重よりも大きいものとする。
【００６９】
第一液層７１、及び第二液層７２を構成する素材は、第一液層７１及び第二液層７２が混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００７０】
装飾用オブジェクトＪの比重は、本実施形態では第一液層７１の比重よりも大きく、第二液層７２の比重よりも小さいものとしているが、本考案では、一般に、装飾用オブジェクトＪの比重を任意に設定することが可能である。
【００７１】
装飾用オブジェクトＫの比重は、本実施形態では第二液層７２の比重と同じとしているが、本考案では、一般に、装飾用オブジェクトＫの比重を任意に設定することが可能である。
【００７２】
装飾用オブジェクトＪのデザインは、本実施形態ではヨットとしているが、本考案では、一般に、装飾用オブジェクトＪのデザインは任意である。装飾用オブジェクトＫのデザインは、本実施形態では人魚としているが、本考案では、一般に、装飾用オブジェクトＫのデザインは任意である。
【００７３】
図９は、本考案の実施形態に係る装飾品の正面から見た他の外観構成を示す正面図である。図９において、本実施形態の装飾品は、密閉空間８０と、密閉空間８０内に封入された第１の液体から成る第一液層８１と、密閉空間８０内に封入された第２の液体から成る第二液層８２と、密閉空間８０内に封入された第３の液体から成る第三液層８３と、装飾用オブシェクトＬと、を備える。
【００７４】
密閉空間８０は、少なくとも正面壁が透明であるものとする。密閉空間８０の後部内壁は無色または任意の着色を施すことが可能であり、さらに、任意の装飾（例えば、絵画やイラスト）をプリントしておくことが可能である。
【００７５】
第一液層８１の色は、本実施形態では藍色としているが、本考案では、一般に、第一液層８１の色を、透明または任意の色に設定することが可能である。
【００７６】
また、第二液層８２の色は、本実施形態では青としているが、本考案では、一般に、第二液層８２の色を、透明または任意の色に設定することが可能である。
【００７７】
第三液層８３の色は、本実施形態では薄い青としているが、本考案では、一般に、第三液層８３の色を透明または任意の色に設定することが可能である。第一液層８１、第二液層８２、及び第三液層８３間の関係は、第二液層８２の比重が第一液層８１の比重よりも大きく、かつ第三液層８３の比重よりも小さいものとする。
【００７８】
第一液層８１、第二液層８２、及び第三液層８３を構成する素材は、第一液層８１、第二液層８２、及び第三液層８３が互いに混じり合わず、かつ溶け合わないものとし、具体的には、水、植物油、鉱物油、シリコン油、液状樹脂、エーテル（モノ・エチルエーテル、ポリ・エチルエーテル、トリ・エチルエーテル）、オキセタン、及び水銀、等を使用することができる。
【００７９】
装飾用オブジェクトＬの比重は、本実施形態では第二液層８２の比重とほぼ同じとしているが、本考案では、一般に、装飾用オブジェクトＬの比重を任意に設定することが可能である。ここで、装飾用オブジェクトＬのデザインは、本実施形態では気球としているが、本考案では、一般に、装飾用オブジェクトＬのデザインは任意である。
【００８０】
図１０は、本考案の実施形態に係る装飾品における密閉空間の正面図である。図１０（ａ）では正方形、図１０（ｂ）では長方形、図１０（ｃ）では四隅が丸まった正方形、図１０（ｄ）では四隅が丸まった長方形、図１０（ｅ）では正三角形、図１０（ｆ）では二等辺三角形を、それぞれ正面図とする密閉空間が示されている。本考案の実施形態に係る装飾品における密閉空間の正面図は、これらのいずれの形状も可能である。
【００８１】
図１１は、本考案の実施形態に係る装飾品における他の密閉空間の正面図である。図１１（ｇ）では台形、図１１（ｈ）では正六角形、図１１（ｉ）では正八角形、図１１（ｊ）では円、図１１（ｋ）では楕円、図１１（ｌ）では星型を、それぞれ正面図とする密閉空間が示されている。本考案の実施形態に係る装飾品における密閉空間の正面図は、これらのいずれの形状も可能である。
【００８２】
なお、図１０、１１に正面図を示した本考案の実施形態に係る装飾品の密閉空間は、紐、ベルト、鎖、等を通して、自動車のフロントや携帯電話等に吊り下げ可能に構成することができる。
【００８３】
また、装飾用オブジェクトの種類は、この実施形態に示したものに限定されることはなく、本考案では、一般に、前記密閉空間に封入可能な任意のオブジェクトを、構成要素とすることが可能である。
【産業上の利用可能性】
【００８４】
本考案の装飾品は、アクセサリー、特に、揺れ動く環境に取り付けられるアクセサリーであって、ペンダント、自動車室内を飾るアクセサリー、携帯電話用のストラップに繋げられるアクセサリーに関するものであり、産業上の利用可能を有する。
【図面の簡単な説明】
【００８５】
【図１】本考案の実施形態に係る装飾品の正面から見た外観構成を示す正面図である。
【図２】本考案の実施形態に係る装飾品の正面から見た他の外観構成を示す正面図である。
【図３】本考案の実施形態に係る装飾品の正面から見た他の外観構成を示す正面図である。
【図４】本考案の実施形態に係る装飾品の正面から見た他の外観構成を示す正面図である。
【図５】本考案の実施形態に係る装飾品の正面から見た他の外観構成を示す正面図である。
【図６】本考案の実施形態に係る装飾品の正面から見た他の外観構成を示す正面図である。
【図７】本考案の実施形態に係る装飾品の正面から見た他の外観構成を示す正面図である。
【図８】本考案の実施形態に係る装飾品の正面から見た他の外観構成を示す正面図である。
【図９】本考案の実施形態に係る装飾品の正面から見た他の外観構成を示す正面図である。
【図１０】本考案の実施形態に係る装飾品における密閉空間の正面図である。
【図１１】本考案の実施形態に係る装飾品における他の密閉空間の正面図である。
【符号の説明】
【００８６】
１０、２０、３０、４０、５０、６０、７０、８０…密閉空間
１１、２１、３１、４１、５１、６１、７１、８１…第一液層
１２、２２、３２、４２、５２、６２、７２、８２…第二液層
２３、８３…第三液層
Ａ〜Ｌ…装飾用オブジェクト
【図１】
0003120924.tif 000003
【図２】
0003120924.tif 000004
【図３】
0003120924.tif 000005
【図４】
0003120924.tif 000006
【図５】
0003120924.tif 000007
【図６】
0003120924.tif 000008
【図７】
0003120924.tif 000009
【図８】
0003120924.tif 000010
【図９】
0003120924.tif 000011
【図１０】
0003120924.tif 000012
【図１１】
0003120924.tif 000013